(57)【要約】【課題】本発明は低い温度の排熱を用いても十分に性能を発揮することができ、さらにエネルギー効率を改善したデシカント空調機を提供しようとするものである。【解決手段】本発明は以上のような課題を解決するため、除湿ロータ１と顕熱交換ロータ２とを有し、それぞれの回転方向を逆にするとともに、脱着ゾーン４の除湿ロータ１の回転方向に対して上手側にヒータ７を設け、下手側にバーナー１０を設けるようにしたもので、これによって低い温度でも脱着が可能な部分には排熱で加熱されるヒータ７を用い、高い温度の必要な部分にバーナー１０を用いるようにした。そしてバーナー１０によってガスを燃焼して水分が発生しても、バーナー１０には最も湿度の低い空気が通過するようにして問題がないようにした。【選択図】  図１
2005049035.tif 000002
【特許請求の範囲】
【請求項１】
除湿ロータと顕熱交換ロータとを有し、それぞれの回転方向を逆にするとともに、脱着ゾーンの除湿ロータの回転方向に対して上手側にヒータを設け、下手側にバーナーを設けるようにしたデシカント空調機。
【請求項２】
ヒータは排熱源からの熱媒体によって発熱するものである請求項１記載のデシカント空調機。
【請求項３】
バーナーはガスを燃料にした請求項１記載のデシカント空調機。
【発明の詳細な説明】
【技術分野】
【０００１】
本発明は、たとえばシリカゲルやゼオライトなどの吸湿剤を担持した除湿ロータを用いたデシカント空調機に関するもので、特にエネルギー効率を改善したものを提供するものである。
【背景技術】
【０００２】
デシカント空調機は除湿ロータなどを用いることによって、被調和空気の除湿を行うものであって、エネルギー源として排熱などを用いることができ、よって省エネルギー効果が高くなるとともに、湿度の低い空気を供給することができ、快適性が高いため急速に普及している。
【０００３】
現在普及している一般的な従来のデシカント空調機について図４に沿って説明する。図４は従来のデシカント空調機の断面図である。図４において１は除湿ロータであり、吸湿剤が担持されたハニカム（蜂の巣）状のものである。
【０００４】
２は顕熱交換ロータであり、例えばアルミニウム箔をハニカム状に形成したものである。除湿ロータ１は吸着ゾーン３と脱着ゾーン４とに分割され、顕熱交換ロータ２は吸熱ゾーン５と放熱ゾーン６とに分割されている。７はヒータであり、具体的には温水コイルや蒸気コイルあるいは電気ヒータなどである。
【０００５】
８は供給ブロアであり外気OAを除湿ロータ１の吸着ゾーン３及び顕熱交換ロータ２の吸熱ゾーン５を通して室内へ供給するものである。９は排気ブロアであり、室内からの還気ＲＡを顕熱交換ロータ２の放熱ゾーン６、ヒータ７及び除湿ロータ１の脱着ゾーン４を通して大気へ放出するものである。
【０００６】
以上のような従来の一般的なデシカント空調機はより低湿度の空気を供給しようとすると、ヒータ７へ供給する熱エネルギーを増やす必要がある。この場合に、発電機などの排熱源から出る熱エネルギーは限られており、場合によってはガスや灯油などを燃焼させて熱エネルギーを補充する必要があった。
【０００７】
このような点に着目されて、熱効率の高いデシカント空調機が求められている。このような技術として例えば特許文献１に開示されたものがある。
【特許文献１】平成１１年特許出願公開３２５５１０号公報
【発明の開示】
【発明が解決しようとする課題】
【０００８】
特許文献１に開示されたものは除湿ロータの脱着ゾーンを２つに分割し、除湿ロータの回転方向に対して上手の温度を下手側の温度より低くすることによって脱着に要するエネルギーを少なくし、熱効率を高くしたものである。
【０００９】
しかし特許文献１に記載のものは、脱着ヒータは除湿ロータの脱着に必要な温度が確保できることが前提であり、排熱を利用する場合に必ずしも脱着に十分な温度が確保できるとは限らない。そしてそのような場合には特許文献１に記載のものは十分な性能を発揮できないという問題がある。
【００１０】
また排熱を利用する場合に脱着に十分な温度が確保できない場合は、補助ヒータを設けるとよいのであるが、特許文献１にはどのようにして補助ヒータを設けると合理的であるか記載がない。
【００１１】
本発明は排熱を利用して脱着に十分な温度が確保できない場合には、できるたけ少ない消費エネルギーの補助ヒータを設けることが可能で、それによって総合的な熱効率の高いデシカント空調機を提供しようとするものである。
【課題を解決するための手段】
【００１２】
本件発明は以上のような課題を解決するため、除湿ロータと顕熱交換ロータとを有し、それぞれの回転方向を逆にするとともに、脱着ゾーンの除湿ロータの回転方向に対して上手側にヒータを設け、下手側にバーナーを設けるようにした。
【発明の効果】
【００１３】
本発明のデシカント空調機は上記の如く構成したので、低い温度でも脱着かのうな部分つまり脱着ゾーンに入ってすぐの除湿ロータに多くの湿気が含まれている部分には排熱を利用したヒータを用いて脱着し、脱着に高い温度が必要な部分にバーナーを設け少ないエネルギーで脱着を行うことができる。
【００１４】
また除湿ロータと顕熱交換ロータとの回転方向を逆にしているため、脱着空気として最も湿度の低い空気をバーナーで加熱することになり、この空気がバーナーの発生する水分で多少加湿されても、あまり脱着性能には影響を与えない。
【００１５】
このように脱着空気を直接バーナーで加温することができるため、バーナーの熱を熱交換器に通す必要がなく、熱効率の高いデシカント空調機を提供することができる。
【発明を実施するための最良の形態】
【００１６】
本発明は、除湿ロータと顕熱交換ロータとを有し、それぞれの回転方向を逆にするとともに、脱着ゾーンの除湿ロータの回転方向に対して上手側にヒータを設け、下手側にバーナーを設けるようにした。
【実施例１】
【００１７】
以下本発明のデシカント空調機の実施例について図１〜図３に沿って詳細に説明する。ここで図４の従来のものと同一の構成部材については同一の番号を付与して、重複した説明を省略する。
【００１８】
つまり除湿ロータ１、顕熱交換ロータ２、吸着ゾーン３、脱着ゾーン４、吸熱ゾーン５と放熱ゾーン６、供給ブロア８、排気ブロア９は従来のものと共通であり、重複した説明は省略する。ヒータ７は発電機などの排熱源から供給される熱媒体によって空気を加熱するもの、例えば熱交換器などである。
【００１９】
図１は本発明のデシカント空調機の内部を示す斜視図であり、これは供給ブロア８及び排気ブロア９の図示を省略している。１０はバーナーであり、ヒータ７に隣接して設けられている。
【００２０】
そして図２に示すように除湿ロータ１の回転方向に対して上手側にヒータ７を設け、下手側にバーナー１０を設けている。またここでバーナー１０としては天然ガス（ＬＮＧ）や液化石油ガス（ＬＰＧ）などを燃料としたバーナーを用いることができる。これらの燃料は一般的に硫黄分の含有量が少なく、燃焼ガスが直接除湿ロータ１を通過しても問題はない。なお図３は本発明のデシカント空調機の内部を示す断面図である。
【００２１】
外気ＯＡは供給ブロア８によって除湿ロータ１の吸着ゾーン３を通過すると、外気ＯＡ中の湿気が除湿ロータ１によって吸着され、吸着熱によって温度が上昇し、高温乾燥空気となる。
【００２２】
この高温乾燥空気は顕熱交換ロータ２の吸熱ゾーン５を通過することによって冷却され、快適な供給空気ＳＡとなって室内へ供給される。また室内からの還気ＲＡは低温乾燥状態であり、顕熱交換ロータ２の放熱ゾーン６を通過することによって顕熱交換ロータ２を冷却するとともに還気ＲＡの温度が上昇する。
【００２３】
乾燥空気の一部は顕熱交換ロータ２の回転に伴って図１及び図２の破線矢印で示すように還気ＲＡ側に戻る。
【００２４】
温度の上昇した還気ＲＡは一部がヒータ７を通過し残りがバーナー１０を通過する。バーナー１０を通過する還気ＲＡは乾燥空気の混入した部分である。つまり除湿ロータ１は顕熱交換ロータ２側から見て時計回りであり、脱着ゾーン４の除湿ロータ１の回転方向に対して上手側にヒータ７を設け、下手側にバーナー１０が設けられ、乾燥空気の混入した還気ＲＡがバーナー１０を通過する。
【００２５】
よってバーナー１０でＬＮＧやＬＰＧを燃焼させて水分が発生してもバーナー１０を通過した高温空気の相対湿度はあまり上昇せず、除湿ロータ１の脱着に寄与することができる。
【００２６】
また顕熱交換ロータ２の放熱ゾーン６の下手側を通過する空気の温度が上手側を通過する空気の温度より高くなり、この空気をさらにヒータ７で加熱するようにしているため、ヒータ７に流す温水の温度が低くても、脱着ゾーン４へ送られる空気の温度は高くなる。
【００２７】
除湿ロータ１は、脱着ゾーン４の除湿ロータ１の回転方向に対して上手側では保有湿気が多く、低い温度の脱着空気でも十分に脱着が進む。よってヒータ７に供給される熱源として温度の低い排熱媒体、例えばディーゼル発電機の冷却水や燃料電池から排出される湯などを用いることができる。
【００２８】
そして保有湿気の少なくなった脱着ゾーン４の除湿ロータ１の回転方向に対して下手側にはバーナー１０を通過した温度の高い空気を通し、残った湿気を十分に脱着させる。
出される。
【産業上の利用可能性】
【００２９】
本発明は例えば発電機などの排熱つまり温水を利用して除湿空調を行うことができ、極めて高い省エネルギー効果を発揮することができ、そして排熱の温度が低い場合には少しのエネルギーを足すことによって高い性能を発揮するデシカント空調機を提供する。
【図面の簡単な説明】
【００３０】
【図１】本発明のデシカント空調機の実施例を示す内部斜視図である。
【図２】本発明のデシカント空調機の一実施例を示す内部正面図である。
【図３】本発明のデシカント空調機の断面図である。
【図４】従来のデシカント空調機の断面図である。
【符号の説明】
【００３１】
１    除湿ロータ
２    顕熱交換ロータ
３    吸着ゾーン
４    脱着ゾーン
５    吸熱ゾーン
６    放熱ゾーン
７    ヒータ
８    供給ブロア
９    排気ブロア
１０    バーナー
ＯＡ    外気
ＲＡ    還気
ＳＡ    供給空気
【図１】
2005049035.tif 000003
【図２】
2005049035.tif 000004
【図３】
2005049035.tif 000005
【図４】
2005049035.tif 000006